(57)【要約】【課題】可撓体を利用して搬送茎稈の穂先部を導入ガイドすると共に、可撓体と供給案内板との間の隙間から穀粒が飛散することを防ぐ。【解決手段】茎稈を刈り取る前処理部２と、前処理部２から搬送される茎稈を扱口１３から導入し、導入した茎稈を脱穀処理する脱穀部３と、扱口１３の下縁部から前方に延出し、搬送茎稈を扱口１３へ導く供給案内板１７と、前処理部２の搬送終端部から供給案内板１７の上面部に亘って設けられ、搬送茎稈を供給案内板１７上又は扱口１３内へ導く板状又はシート状の可撓体２０と、を備えるコンバイン１において、扱口１３の穂先側前方位置に、可撓体２０の裏面を支えつつ、可撓体２０を介して搬送茎稈の穂先部を導入ガイドする穂先ガイド部材２１を設けると共に、該穂先ガイド部材２１を、可撓体２０と供給案内板１７との間の隙間を塞ぐ塞ぎ部材に兼用する。【選択図】図３
2008278754.tif 000002
【特許請求の範囲】
【請求項１】
茎稈を刈り取る前処理部と、
前処理部から搬送される茎稈を扱口から導入し、導入した茎稈を脱穀処理する脱穀部と、
扱口の下縁部から前方に延出し、搬送茎稈を扱口へ導く供給案内板と、
前処理部の搬送終端部から供給案内板の上面部に亘って設けられ、搬送茎稈を供給案内板上又は扱口内へ導く板状又はシート状の可撓体と、
を備えるコンバインにおいて、
前記扱口の穂先側前方位置に、可撓体の裏面を支えつつ、可撓体を介して搬送茎稈の穂先部を導入ガイドする穂先ガイド部材を設けると共に、該穂先ガイド部材を、可撓体と供給案内板との間の隙間を塞ぐ塞ぎ部材に兼用したことを特徴とするコンバイン。
【請求項２】
前記穂先ガイド部材は、扱口の穂先側前方位置から株元側に向けて突出すると共に、突出先端側ほど扱口側に後退するように傾斜配置されることを特徴とする請求項１記載のコンバイン。
【発明の詳細な説明】
【技術分野】
【０００１】
本発明は、前処理部の搬送終端部から供給案内板の上面部に亘って設けられ、搬送茎稈を供給案内板上又は扱口内へ導く板状又はシート状の可撓体を備えるコンバインに関する。
【背景技術】
【０００２】
前処理部から搬送される茎稈を扱口から扱室に導入して脱穀処理するにあたり、扱口近傍に、供給案内板や飛散防止体を備えるコンバインが知られている（例えば、特許文献１〜３参照）。供給案内板は、扱口の下縁部から前方に延出するように設けられており、搬送茎稈を扱口へ導くようになっている。また、飛散防止体は、扱口の穂先側前方位置に設けられており、扱口の穂先側から吹き出す穀粒の飛散を防ぐようになっている。
【０００３】
また、前処理部の搬送終端部から供給案内板の上面部に亘って板状又はシート状の可撓体が設けられたコンバインも知られている。この可撓体は、前処理部と脱穀部との間に存在する隙間を塞ぎつつ、前処理部の昇降動作を許容するために設けられるもので、前処理部と脱穀部との間の隙間に搬送茎稈が落ち込むことを防ぐようになっている。
【特許文献１】実開昭５４−９２９６１号公報
【特許文献２】実開昭５４−１８３４６４号公報
【特許文献３】実開昭６３−３６２３６号公報
【発明の開示】
【発明が解決しようとする課題】
【０００４】
しかしながら、可撓体の終端部は、その裏面が供給案内板の上面に沿っているに過ぎないため、搬送茎稈を積極的に扱口へ導入ガイドするような作用は発揮しない。また、可撓体の終端部穂先側は、飛散防止体に乗り上げることがあり、この場合には、可撓体と供給案内板との間に隙間ができ、ここから穀粒が飛散する惧れがある。
【課題を解決するための手段】
【０００５】
本発明は、上記の如き実情に鑑みこれらの課題を解決することを目的として創作されたものであって、茎稈を刈り取る前処理部と、前処理部から搬送される茎稈を扱口から導入し、導入した茎稈を脱穀処理する脱穀部と、扱口の下縁部から前方に延出し、搬送茎稈を扱口へ導く供給案内板と、前処理部の搬送終端部から供給案内板の上面部に亘って設けられ、搬送茎稈を供給案内板上又は扱口内へ導く板状又はシート状の可撓体と、を備えるコンバインにおいて、前記扱口の穂先側前方位置に、可撓体の裏面を支えつつ、可撓体を介して搬送茎稈の穂先部を導入ガイドする穂先ガイド部材を設けると共に、該穂先ガイド部材を、可撓体と供給案内板との間の隙間を塞ぐ塞ぎ部材に兼用したことを特徴とする。このようにすると、可撓体を利用して搬送茎稈の穂先部を導入ガイドすることができるだけでなく、可撓体と供給案内板との間の隙間を塞いで、穀粒の飛散を防止することができる。
また、前記穂先ガイド部材は、扱口の穂先側前方位置から株元側に向けて突出すると共に、突出先端側ほど扱口側に後退するように傾斜配置されることを特徴とする。このようにすると、穂先ガイド部材の傾斜ガイド作用により、搬送茎稈の穂先部を扱口内へスムーズに導くことができる。
【発明を実施するための最良の形態】
【０００６】
次に、本発明の実施形態について、図面に基づいて説明する。図１において、１はコンバインであって、該コンバイン１は、茎稈を刈り取る前処理部２と、刈り取った茎稈から穀粒を脱穀して選別する脱穀部３と、選別された穀粒を貯留する穀粒タンク４と、脱穀済みの排稈を後処理する後処理部５と、運転席や各種の操作具が設けられる操縦部６と、クローラ式の走行部７とを備えて構成されている。
【０００７】
前処理部２は、茎稈を分草するデバイダ８、茎稈を引き起す引き起し装置９、茎稈の株元を切断する刈刃装置１０、刈り取った茎稈を脱穀フィードチェン１１の始端部まで搬送する扱深さ搬送装置１２などを備えて構成されている。そして、前処理部２は、走行機体の前端部に昇降自在に連結され、走行機体と前処理部２との間に介設される前処理昇降シリンダ（図示せず）の油圧伸縮動作に応じて昇降されるようになっている。
【０００８】
図２〜図４に示すように、脱穀部３は、前処理部２から搬送される茎稈を脱穀フィードチェン１１で引き継ぐと共に、引き継いだ搬送茎稈を扱口１３から扱室１４内に導入し、扱室１４に内装される扱胴１５で脱穀処理するようになっている。そして、扱室１４で脱穀された穀粒は、受網１６を介して選別室（図示せず）に漏下され、ここで選別される。本実施形態の扱胴１５は、いわゆる下扱ぎ式であり、正面から見て時計回りに回転される。従って、扱口１３は、扱胴１５の下側外周面に沿って茎稈を供給すべく、その下縁が円弧状に形成されている。
【０００９】
次に、本発明の要部である脱穀部３の始端部構成について、図２〜図４を参照して説明する。これらの図に示すように、脱穀部３の始端部には、供給案内板１７、カバー体１８、飛散防止体１９、可撓体２０及び穂先ガイド部材２１が設けられている。
【００１０】
供給案内板１７は、扱口１３の下縁部から前方に延出する正面視円弧状の板材であり、搬送茎稈を扱口１３へ導くようになっている。なお、本実施形態の供給案内板１７は、前高後低状に傾斜すると共に、前後方向中間位置に段差１７ａを有し、該段差１７ａよりも前側の上面１７ｂを高く、段差１７ａよりも後側の上面１７ｃを低くしてある。これにより、供給案内板１７上の穀粒が前方に転がり落ちることが防止される。
【００１１】
カバー体１８は、扱口１３の穂先側端部に立設されている。飛散防止体１９は、カバー体１８から株元側に突出するように設けられた板部材であり、扱口１３の穂先側前方に位置することにより、扱口１３の穂先側から吹き出す穀粒の飛散を防ぐようになっている。
【００１２】
可撓体２０は、前処理部２の搬送終端部から供給案内板１７の上面部に亘って設けられる板状又はシート状の可撓部材であり、前処理部２と脱穀部３との間に存在する隙間を塞ぎつつ、前処理部２の昇降動作を許容する。これにより、前処理部２と脱穀部３との間の隙間に搬送茎稈が落ち込むことが防止される。
【００１３】
穂先ガイド部材２１は、扱口１３の穂先側前方位置に設けられており、可撓体２０の裏面を支えつつ、可撓体２０を介して搬送茎稈の穂先部を導入ガイドするようになっている。具体的に説明すると、本実施形態の穂先ガイド部材２１は、飛散防止体１９から株元側に突設されており、可撓体２０の終端部穂先側を上方に曲げるように支持する。これにより、搬送茎稈の穂先部は、受網１６の曲げ方向に予め曲げられ、扱室１４にスムーズに入って脱穀処理されることになる。
【００１４】
さらに、穂先ガイド部材２１は、可撓体２０と供給案内板１７との間の隙間を塞ぐ塞ぎ部材にも兼用されている。つまり、可撓体２０の終端部穂先側を上方に曲げて支持した場合、可撓体２０と供給案内板１７との間に大きな隙間ができ、ここから穀粒が飛散する可能性があるが、この隙間を穂先ガイド部材２１で塞ぐことにより、部品を追加しなくても、穀粒の飛散を防止することが可能になる。
【００１５】
本実施形態では、穂先ガイド部材２１を扱口１３の穂先側前方位置から株元側に向けて突出状に設けるにあたり、突出先端側ほど扱口１３側に後退するように傾斜配置している。このようにすると、穂先ガイド部材２１の傾斜ガイド作用により、搬送茎稈の穂先部を扱口１３内へスムーズに導くことができる。
【００１６】
また、本実施形態の穂先ガイド部材２１は、可撓体２０を介して搬送茎稈の穂先部を導入ガイドする導入ガイド部２１ａと、可撓体２０と供給案内板１７との間の隙間を塞ぐ塞ぎ部２１ｂとを備えるにあたり、導入ガイド部２１ａを丸棒で形成している。このようにすると、可撓体２０との接触部に丸みが付けられるので、可撓体２０が穂先ガイド部材２１に引っ掛かって破れるなどの不都合を回避することができる。
【００１７】
叙述の如く構成された本実施形態によれば、茎稈を刈り取る前処理部２と、前処理部２から搬送される茎稈を扱口１３から導入し、導入した茎稈を脱穀処理する脱穀部３と、扱口１３の下縁部から前方に延出し、搬送茎稈を扱口１３へ導く供給案内板１７と、前処理部２の搬送終端部から供給案内板１７の上面部に亘って設けられ、搬送茎稈を供給案内板１７上又は扱口１３内へ導く板状又はシート状の可撓体２０と、を備えるコンバイン１において、扱口１３の穂先側前方位置に、可撓体２０の裏面を支えつつ、可撓体２０を介して搬送茎稈の穂先部を導入ガイドする穂先ガイド部材２１を設けると共に、該穂先ガイド部材２１を、可撓体２０と供給案内板１７との間の隙間を塞ぐ塞ぎ部材に兼用したので、可撓体２０を利用して搬送茎稈の穂先部を導入ガイドすることができるだけでなく、可撓体２０と供給案内板１７との間の隙間を塞いで、穀粒の飛散を防止することができる。
【００１８】
また、穂先ガイド部材２１は、扱口１３の穂先側前方位置から株元側に向けて突出すると共に、突出先端側ほど扱口１３側に後退するように傾斜配置されるので、穂先ガイド部材２１の傾斜ガイド作用により、搬送茎稈の穂先部を扱口１３内へスムーズに導くことができる。
【図面の簡単な説明】
【００１９】
【図１】コンバインの左側面図である。
【図２】脱穀部の始端部を示す左側面図である。
【図３】脱穀部の始端部を示す正面図である。
【図４】前処理部の終端部及び脱穀部の始端部を示す平面図である。
【符号の説明】
【００２０】
１      コンバイン
２      前処理部
３      脱穀部
１１    脱穀フィードチェン
１３    扱口
１４    扱室
１５    扱胴
１６    受網
１７    供給案内板
１９    飛散防止体
２０    可撓体
２１    穂先ガイド部材
２１ａ  導入ガイド部
２１ｂ  塞ぎ部
【図１】
2008278754.tif 000003
【図２】
2008278754.tif 000004
【図３】
2008278754.tif 000005
【図４】
2008278754.tif 000006